(57)【特許請求の範囲】
【請求項１】
光ディスクを保持する従動スピナーと、この従動スピナーを回転自在に支持した支持部材と、少なくとも中央部に貫通孔を備えた光ディスク用トレイと、この光ディスク用トレイを前記光ディスクの径方向にスライドさせて筐体の内外に移動させるトレイ開閉機構と、前記光ディスク用トレイの内外移動に連動して前記従動スピナーに接離して該従動スピナーとの間に前記光ディスクを挾持する駆動スピナーと、前記駆動スピナーを回転駆動するスピナー回転モータと、回転する光ディスクから情報を再生する再生ユニットとを備えた光ディスク装置において、
前記光ディスク用トレイにおける前記光ディスクとの重合部の径方向外側の手前側の両側位置に、前記光ディスク用トレイが有する開口部パネルと独立した第一の突条を分割して設けると共に、この第一の突条に対向する第二の突条を前記筐体の側に配備したことを特徴とする光ディスク装置。
【請求項２】
前記支持部材が前記光ディスクの少なくとも手前側の半分を覆うようにして形成され、この支持部材に前記第二の突条が一体的に形成されていることを特徴とする請求項１記載の光ディスク装置。
【発明の詳細な説明】
【０００１】
【発明の属する技術分野】
本発明は、光ディスク装置の改良、特に、回転中に生じる可能性のある光ディスクの破損に対する安全性の向上に関するものである。
【０００２】
【従来の技術】
従動スピナーおよび駆動スピナーと光ディスク用トレイを備えた光ディスク装置が既に公知である。
【０００３】
この種の光ディスク装置の一例を図５および図６に示す。ここで、図５は従来の光ディスク装置１００を中央部で割って断面で示した概念図、また、図６は従来の光ディスク装置１００の外観を示した斜視図である。
【０００４】
図５に示されるように、光ディスク装置１００は、概略において、光ディスク２を保持する従動スピナー３と、この従動スピナー３を回転自在に支持した支持部材４、および、中央部に貫通孔を備えた光ディスク用トレイ５と、光ディスク用トレイ５を筐体６の内外に移動させるためのトレイ開閉機構７と、この内外移動に連動して従動スピナー３に接離する駆動スピナー８、ならびに、この駆動スピナー８を回転駆動するスピナー回転モータ９と、回転する光ディスク２から情報を再生するための再生ユニット１０とによって構成される。但し、ここでいう再生ユニット１０は書き込み機能を備える場合もある。
【０００５】
このうち、スピナー３を回転自在に支持した支持部材４は、図６に示されるようにして筐体６に一体的に固着されている。
【０００６】
また、トレイ開閉機構７は一般にモータによって構成され、図示しない動力伝達機構を介して、光ディスク用トレイ５を光ディスク２の径方向、つまり、図５の左右方向にスライドさせて、筐体６の内外に光ディスク用トレイ５を出没させる。
【０００７】
再生ユニット１０は基板部１０ａと昇降部１０ｂとによって構成され、この昇降部１０ｂが図示しない昇降機構によって駆動されて基板部１０ａに対して上下動することにより、昇降部１０ｂに設けられたスピナー回転モータ９の駆動スピナー８が、従動スピナー３に対して接離移動する。
【０００８】
駆動スピナー８は従動スピナー３に接近した状態で従動スピナー３と共に光ディスク２を挾持し、スピナー回転モータ９から受ける駆動力によって光ディスク２を回転させる。
【０００９】
トレーサーヘッド１１は再生ユニット１０の一部であり、光ディスク用トレイ５の中央部の貫通孔に連絡して設けられた長穴１２に沿って、光ディスク２の径方向の内外に移動する。
【００１０】
次に、光ディスク用トレイ５の開閉動作について簡単に説明する。まず、図５の状態で、フロントパネル１３の押圧部材１４を介して筐体６内の開閉スイッチ１５を操作すると、図示しない昇降機構が駆動されて再生ユニット１０の昇降部１０ｂが下降し、これに伴ってスピナー回転モータ９と駆動スピナー８が下方に移動し、駆動スピナー８によって下面を支えられていた光ディスク２が光ディスク用トレイ５上に載置される。
【００１１】
このようにして、昇降部１０ｂが下降限度に達すると、次いで、トレイ開閉機構７が作動して光ディスク用トレイ５を図５の右方向にスライドさせ、筐体６の外側に光ディスク用トレイ５を突出させる。この状態で光ディスク２の取り出しが可能となる。
【００１２】
そして、このような状態で再びフロントパネル１３の押圧部材１４を介して筐体６内の開閉スイッチ１５を操作すると、トレイ開閉機構７が作動して光ディスク用トレイ５を図５の左方向にスライドさせ、筐体６の内部に光ディスク用トレイ５を取り込む。このようにして、光ディスク用トレイ５が図５に示されるような回収位置に達すると、再び昇降機構が駆動されて再生ユニット１０の昇降部１０ｂが上昇し、これに伴ってスピナー回転モータ９と駆動スピナー８が上方に移動して、駆動スピナー８によって下面を支えられていた光ディスク２が光ディスク用トレイ５から持ち上げられ、従動スピナー３の下面に圧着される。
【００１３】
この状態でスピナー回転モータ９を駆動することによって、駆動スピナー８と従動スピナー３との間に挾持された光ディスク２が回転する。また、トレーサーヘッド１１を光ディスク２の径方向に移動させながらレーザ光を照射することにより、トレーサーヘッド１１による情報の読み込み或いは書き込みが行われることになる。
【００１４】
なお、光ディスク用トレイ５を光ディスク装置１００に収納するための操作は、前述した押圧部材１４の操作に代え、光ディスク用トレイ５と一体に形成された開口部パネル１６を押し込むことによっても可能である。
【００１５】
【発明が解決しようとする課題】
このような構成を有する光ディスク装置１００において、当初想定されていた光ディスク２の回転速度は２００ｒｐｍ（ＣＤ１倍速）程度であり、光ディスク装置１００の各部の剛性や強度もそれに合わせて設計されていた。
【００１６】
その後、コンピュータ等の高性能化が進み、情報の読み込み速度や書き込み速度の高速化が要求され、２倍速，４倍速，８倍速，・・・等の光ディスク装置１００が設計され、最近では９６００ｒｐｍ（ＣＤ４８倍速）の回転速度を有する光ディスク装置１００も実用化されている。
【００１７】
一方、ＣＤ−ＲＯＭ等の光ディスク２の使用も光ディスク装置１００の開発と同時に開始されており、傷や経年変化等で痛んだ当時の光ディスク２が現在の仕様の光ディスク装置１００によって使用される可能性もある。
【００１８】
光ディスク２にしても光ディスク装置１００にしても安全上十分なマージンを考慮して設計されてはいるが、もし、光ディスク２が回転中に破損して遠心力によって径方向外側に飛び出したとすると、例えば、９６００ｒｐｍの光ディスク装置１００で回転駆動されているときに光ディスク２の半分が千切れ飛んだ場合、そのときに作用する力は概ね２０．９Ｋｇｆ（計算値）にも達し、この光ディスク２がフロントパネル１３や開口部パネル１６を直撃したような場合には、必ずしも、フロントパネル１３や開口部パネル１６がこの衝撃に耐えられるといった保証はない。
【００１９】
そこで、このような問題を解決すべく、光ディスク用トレイ５における筐体６の上面内側の右寄りの位置（図５のａの位置を参照）から下方に向けて突出し、光ディスク用トレイ５の上面に接する位置にまで延びる突条を形成した光ディスク装置が提案されている。
【００２０】
しかしながら、このような構成の場合、突条と光ディスク用トレイ５との間に引っ掛かりが生じ、光ディスク用トレイ５のスライド動作が妨げられるといった不都合が生じる場合があった。
また、光ディスク用トレイ５上に光ディスク２が的確に載置されずに傾きが生じたような場合は、突条の先端が光ディスク２の表面を擦って傷をつけるといった問題も生じる。
【００２１】
また、光ディスク用トレイ５における光ディスク２との重合部の径方向外側の手前側の位置（図５のｂの位置を参照）に円弧型の突条を形成した光ディスク装置も提案されている。
【００２２】
しかしながら、このものは光ディスク用トレイ５側に配備された突条のみによって光ディスク２の衝撃を食い止めるように構成されていたため、光ディスク用トレイ５側の突条の高さを光ディスク２の回転面を超えて高くする必要があり、光ディスク用トレイ５から光ディスク２が取り出しにくくなるといった弊害があり、また、筐体６内部で千切れ飛んだ光ディスク２が筐体６内で跳ね返ったような場合には、フロントパネル１３や開口部パネル１６の破損が心配される。
【００２３】
【発明の目的】
そこで、本発明の目的は、前記従来技術の欠点を解消し、光ディスク用トレイを円滑にスライドさせることができ光ディスクの装着や取り出しが容易であって、光ディスクの表面に不用意な傷をつけることがなく、回転中に損傷を生じた光ディスクの飛び出しを確実に防止することのできる光ディスク装置を提供することにある。
【００２４】
【課題を解決するための手段】
本発明は、光ディスクを保持する従動スピナーと、この従動スピナーを回転自在に支持した支持部材と、少なくとも中央部に貫通孔を備えた光ディスク用トレイと、この光ディスク用トレイを光ディスクの径方向にスライドさせて筐体の内外に移動させるトレイ開閉機構と、光ディスク用トレイの内外移動に連動して従動スピナーに接離して該従動スピナーとの間に光ディスクを挾持する駆動スピナーと、駆動スピナーを回転駆動するスピナー回転モータと、回転する光ディスクから情報を再生する再生ユニットとを備えた光ディスク装置であって、前記目的を達成するため、特に、光ディスク用トレイにおける光ディスクとの重合部の径方向外側の手前側の位置に、前記光ディスク用トレイが有する開口部パネルと独立した第一の突条を分割して設けると共に、この第一の突条に対向する第二の突条を筐体の側に配備したことを特徴とする構成を有する。
【００２５】
破損した光ディスクの飛び出しを防止するための突条を第一の突条と第二の突条とに分割して対向して配置する構成としたため、各々の突条の高さを従来品に比べて低くすることができる。
特に、第二の突条を低く構成することができるため、筐体側の突条（第二の突条）が光ディスク用トレイに引っ掛かることがなくなり、光ディスク用トレイのスライド動作が円滑化される。また、光ディスク用トレイ上に光ディスクが傾いて載置されたような場合であっても、筐体側の突条（第二の突条）が光ディスクの表面を擦って不用意に傷をつけるといった問題が解消される。
また、光ディスク用トレイ側の突条（第一の突条）の高さも低くできるので、光ディスク用トレイからの光ディスクの取り出しや載置作業も容易となる。
しかも、第一の突条は、光ディスク用トレイにおける光ディスクとの重合部の径方向外側の手前側の両側位置に分割して配備しているため、光ディスク用トレイを筐体の外側に移動させたときに光ディスク用トレイが完全に外部に露出しない構造の光ディスク装置、つまり、光ディスク用トレイの移動ストロークが短いために光ディスクの手前を持ち上げて傾けるようにして光ディスク用トレイの内部に光ディスクを差し込んだり取り出したりする必要のある光ディスク装置の場合において、光ディスクの脱着時に生じる可能性のある光ディスクと第一の突条との干渉の防止に効果がある。
【００３４】
更に、光ディスクの少なくとも手前側の半分を覆うようにして支持部材を形成し、この支持部材に第二の突条を一体的に形成することが可能である。
【００３５】
このような構成によれば、光ディスクの径方向外側に千切れ飛ぶ破片に加え、筐体内部で跳ね返りを生じて別の方向に飛散する光ディスクの破片も、支持部材によって確実に受け止め、その飛び出しを防止することができる。
【００３６】
【発明の実施の形態】
以下、図面を参照して本発明の実施形態について説明する。図１（ａ）は本発明を適用した一実施形態の光ディスク装置１を中央部で割って断面で示した概念図、また、図２（ａ）はこの光ディスク装置１の外観を示した斜視図である。
【００３７】
このうち、光ディスク２，従動スピナー３，筐体６，トレイ開閉機構７，駆動スピナー８，スピナー回転モータ９，再生ユニット１０（基板部１０ａ，昇降部１０ｂ），トレーサーヘッド１１，長穴１２，フロントパネル１３，押圧部材１４，開閉スイッチ１５，開口部パネル１６の構造と機能に関しては、図５および図６で示した従来例と同様であるので説明を省略する。
【００３８】
なお、ここでいう再生ユニット１０とトレーサーヘッド１１は読み込み専用の物のみを意味するものではなく、書き込み専用のもの、および、読み込み機能と書き込み機能を兼ね備えたものを含んだ概念である。
【００３９】
以下、本発明の要旨に直接関連する支持部材１７と光ディスク用トレイ１８の構造について詳細に説明する。
【００４０】
スピナー３を回転自在に支持した支持部材１７は、図２（ａ）に示されるように、その両側を筐体６に一体的に固着されている。図５および図６で示した支持部材４との相違は、この支持部材１７が、光ディスク２の中央部から手前側半分を覆うようにして形成された半円盤状の延出部１７ａを有し、この延出部１７ａの外周部下面側に、光ディスク用トレイ１８に向けて突出する周壁から成る第二の突条１７ｂが一体的に形成されている点にある。
【００４１】
支持部材１７の延出部１７ａは筐体６内で砕けて飛散する光ディスク２が筐体６内で跳ね返ってフロントパネル１３や開口部パネル１６に衝突するのを防止し、また、延出部１７ａに設けられた第二の突条１７ｂは、後述する第一の突条１８ａ，１８ａと共同して、筐体６内で砕けて飛散する光ディスク２がフロントパネル１３や開口部パネル１６を直撃するのを防止している。第二の突条１７ｂの詳細形状を図１（ｂ）および図２（ｂ）に示す。
【００４２】
一方、光ディスク用トレイ１８における光ディスク２との重合部の径方向外側の手前側の両側位置には、前述した第二の突条１７ｂと対向する第一の突条１８ａ，１８ａが左右に分割して光ディスク用トレイ１８と一体に設けられている。
【００４３】
図１（ａ），図１（ｂ）および図２（ｂ）に示される通り、第一の突条１８ａ，１８ａは第二の突条１７ｂよりも光ディスク２の径方向の外側にオフセットして配備されているので、光ディスク用トレイ１８の開閉時のスライド動作によって第一の突条１８ａ，１８ａと第二の突条１７ｂとが不用意に干渉することはなく、光ディスク用トレイ１８の円滑なスライド動作が実現される。
なお、図１（ａ），図１（ｂ）の各図では光ディスク用トレイ１８が完全に閉鎖された時の状態を実線で示しており、これよりも左側の位置に光ディスク用トレイ１８が移動することはない。
【００４４】
更に、このオフセット配置によって光ディスク２の手前側の外周部と第一の突条１８ａ，１８ａとの間に或る程度の間隙が形成されることになるので、光ディスク２の脱着に際して第一の突条１８ａ，１８ａが不用意に手や光ディスク２に干渉することはなく、光ディスク用トレイ１８に対する光ディスク２の載置作業や取り出し作業も無理なく円滑に実施することができる。
【００４５】
しかも、第一の突条１８ａ，１８ａの先端部と第二の突条１７ｂの先端部との間の間隙Ｄは、光ディスク２の厚みよりも小さくなるように構成されているので、飛散する光ディスク２の破片が第一の突条１８ａ，１８ａと第二の突条１７ｂとの間を擦り抜けることはなく、フロントパネル１３や開口部パネル１６を確実に光ディスク２の破片の衝突から保護することができる。
【００４６】
また、図２（ａ）に示されるように、光ディスク用トレイ１８の両側に位置する第一の突条１８ａと第一の突条１８ａとの間には、無駄な突起物の無い平坦部が形成されているので、光ディスク用トレイ１８を筐体６の外側に移動させたときに光ディスク用トレイ１８が完全に外部に露出しない構造の光ディスク装置１、つまり、光ディスク用トレイ１８の移動ストロークが短いために光ディスク２の手前を持ち上げて傾けるようにして光ディスク用トレイ１８の内部に光ディスク２を差し込んだり取り出したりする必要のある光ディスク装置１の場合においても、光ディスク２の挿入や取り出しに際して光ディスク２の表面を第一の突条１８ａ，１８ａに接触させることなく、安全な脱着作業を行うことができる。
【００４７】
一方、光ディスク用トレイ１８を筐体６の外側に移動させたときに光ディスク用トレイ１８が完全に外部に露出する構造の光ディスク装置１の場合においては、図３に示されるようにして、光ディスク２の径方向外側の手前側に第一の突条１８ａを連続して一体的に配備することが可能であり、このような構成により、光ディスク２の破片の飛び出しを一層確実に防止することができる。
【００４８】
以上、光ディスク用トレイ１８と支持部材１７の手前側にだけ第一の突条１８ａや延出部１７ａおよび第二の突条１７ｂを設けた実施形態について述べたが、第一の突条１８ａや延出部１７ａおよび第二の突条１７ｂは、光ディスク用トレイ１８や支持部材１７の後方側にも同時に配備することが可能であり、このような構成を適用することにより、筐体６の背面パネルからの破片の飛び出しも確実に防止することができるようになる。作用および効果の点に関しては飛び出し防止の方向性を除いて前記と全く同様であるので説明を省略し、図４に実施形態の外観を示すにとどめる。
【００４９】
【発明の効果】
本発明の光ディスク装置は、破損した光ディスクの飛び出しを防止するための突条を第一の突条と第二の突条とに分けて光ディスク用トレイの側と筐体の側とに分割して配備したので、各々の突条の高さを低くしても光ディスクの飛び出しを確実に防止することができる。
【００５０】
特に、第二の突条を低く構成することができるため、筐体側の突条が光ディスク用トレイに引っ掛かることがなくなり、光ディスク用トレイのスライド動作が円滑化される。また、光ディスク用トレイ上に光ディスクが傾いて載置されたような場合であっても、筐体側の突条が光ディスクの表面を擦って不用意に傷をつけるといった問題が解消される。
【００５１】
また、光ディスク用トレイ側の突条の高さも低くできるので、光ディスク用トレイからの光ディスクの取り出しや載置作業も容易となる。
【００５５】
また、光ディスク用トレイの手前側の両側位置に第一の突条を分割して配備することにより、光ディスク用トレイの移動ストロークが短い光ディスク装置の場合に生じる可能性のある光ディスク脱着時における光ディスクと第一の突条との接触事故を未然に防止することができる。
【００５７】
更に、第二の突条を設けた支持部材は光ディスクの少なくとも手前側の半分を覆うようにして形成されているので、光ディスクの径方向外側に千切れ飛ぶ破片の飛び出し防止に加え、筐体内部で跳ね返りを生じて別の方向に飛散する光ディスクの飛び出しも、この支持部材によって確実に防止することができる。
【図面の簡単な説明】
【図１】図１（ａ）は本発明を適用した一実施形態の光ディスク装置を中央部で割って断面で示した概念図、図１（ｂ）はその要部拡大図（Ａ部詳細）である。
【図２】図２（ａ）は同実施形態の光ディスク装置の外観を示した斜視図、図２（ｂ）はその要部拡大図（Ｂ部詳細）である。
【図３】別の実施形態の光ディスク装置の外観を示した斜視図である。
【図４】更に別の実施形態の光ディスク装置の外観を示した斜視図である。
【図５】従来の光ディスク装置を中央部で割って断面で示した概念図である。
【図６】従来の光ディスク装置の外観を示した斜視図である。
【符号の説明】
１  光ディスク装置
２  光ディスク
３  従動スピナー
４  支持部材
５  光ディスク用トレイ
６  筐体
７  トレイ開閉機構
８  駆動スピナー
９  スピナー回転モータ
１０  再生ユニット
１０ａ  基板部
１０ｂ  昇降部
１１  トレーサーヘッド
１２  長穴
１３  フロントパネル
１４  押圧部材
１５  開閉スイッチ
１６  開口部パネル
１７  支持部材
１７ａ  延出部
１７ｂ  第二の突条
１８  光ディスク用トレイ
１８ａ  第一の突条
１００  光ディスク装置（従来例）
【図１】
0003736332.tif 000002
【図２】
0003736332.tif 000003
【図３】
0003736332.tif 000004
【図４】
0003736332.tif 000005
【図５】
0003736332.tif 000006
【図６】
0003736332.tif 000007